(57)【要約】【課題】電子ペーパーの受け渡しに際して、電子ペーパーに表示されている情報の漏洩を確実に防止する。【解決手段】複数の保持装置間の電子ペーパーの受け渡し方法であって、受け渡し元の保持装置で、受け渡す電子ペーパーと受け渡し先の保持装置とを指定し、受け渡す電子ペーパーをソケットから取り外す際に、電子ペーパーに表示されている元画像を閲覧困難な状態にする画像加工を行うと共に、電子ペーパーの記憶部に認証情報を書き込み、更に、元画像の情報と認証情報とを対応付けて外部記憶手段に保存し、受け渡し先の保持装置で、電子ペーパーをソケットに取り付けた際に、電子ペーパーの記憶部に書き込まれた認証情報と外部記憶手段に保存された認証情報とを照合し、両者が一致したら、外部記憶手段から元画像の情報を取得し、電子ペーパーに前記元画像を書き込んで表示させる。【選択図】図８
2014021875.tif 000002
【特許請求の範囲】
【請求項１】
記憶部を備える電子ペーパーと、前記電子ペーパーを着脱可能に保持するソケットを有し、前記ソケットに取り付けられた前記電子ペーパーに画像を書き込んで表示させる複数の保持装置と、を含み、前記複数の保持装置間で前記電子ペーパーの受け渡しを行う電子ペーパー利用システムにおいて、
前記電子ペーパーの受け渡し元の保持装置は、
受け渡す電子ペーパーと受け渡し先の保持装置とを指定可能な操作部と、
前記受け渡す電子ペーパーを前記ソケットから取り外す際に、前記電子ペーパーに表示されている元画像を閲覧困難な状態にする画像加工を行うと共に、前記電子ペーパーの前記記憶部に認証情報を書き込み、更に、前記元画像の情報と前記認証情報とを対応付けて外部記憶手段に保存する受け渡し処理を実行する制御部と、を備え、
前記電子ペーパーの受け渡し先の保持装置は、
前記電子ペーパーを前記ソケットに取り付けた際に、前記電子ペーパーの前記記憶部に書き込まれた認証情報と前記外部記憶手段に保存された認証情報とを照合し、両者が一致したら、前記外部記憶手段から前記認証情報に対応付けて保存された前記元画像の情報を取得し、前記電子ペーパーに前記元画像を書き込んで表示させる受け入れ処理を実行する制御部を備える、
ことを特徴とする電子ペーパー利用システム。
【請求項２】
前記受け渡し元の保持装置の前記制御部は、前記元画像の情報と前記認証情報とを、前記外部記憶手段の内の、前記受け渡し先の保持装置のみが参照可能な領域に保存する、
ことを特徴とする請求項１に記載の電子ペーパー利用システム。
【請求項３】
前記受け渡し元の保持装置の前記制御部は、前記受け渡し先の保持装置が指定されたら、当該受け渡し先の保持装置に前記電子ペーパーを取り付け可能なソケットの余りがあるかを確認し、ソケットの余りがある場合に前記受け渡し処理を実行する、
ことを特徴とする請求項１又は２に記載の電子ペーパー利用システム。
【請求項４】
前記画像加工は、モザイク処理、画像縮小処理、地紋付加処理、画像消去のいずれかである、
ことを特徴とする請求項１乃至３のいずれか一に記載の電子ペーパー利用システム。
【請求項５】
前記受け渡し元の保持装置の前記制御部は、前記電子ペーパーに表示されている元画像の種別を識別し、前記元画像に対して、当該種別に予め対応付けられた画像加工を行う、
ことを特徴とする請求項４に記載の電子ペーパー利用システム。
【請求項６】
前記ソケットは、前記電子ペーパーを取り外せない状態にするロック機構を備え、
前記受け渡し元の保持装置の前記制御部は、前記受け渡す電子ペーパーと前記受け渡し先の保持装置とが指定された後、前記受け渡し処理が完了するまで、前記ロック機構を動作させる、
ことを特徴とする請求項１乃至５のいずれか一に記載の電子ペーパー利用システム。
【請求項７】
前記保持装置は、前記ソケットに取り付けられた前記電子ペーパーの識別情報と当該電子ペーパーに書き込んだ画像の情報とを対応付けて記憶する記憶部を備え、
前記受け渡し元の保持装置の前記制御部は、前記電子ペーパーが前記ソケットに取り付けられたら、当該電子ペーパーの識別情報が前記記憶部に記憶されているかを判断し、前記識別情報が記憶されている場合は、当該識別情報に対応付けて記憶された画像を前記電子ペーパーに書き込んで表示させる、
ことを特徴とする請求項１乃至６のいずれか一に記載の電子ペーパー利用システム。
【請求項８】
記憶部を備える電子ペーパーと、前記電子ペーパーを着脱可能に保持するソケットを有する保持部と、を含む電子ペーパー利用装置であって、
前記電子ペーパーを前記ソケットから取り外す際に、前記電子ペーパーに表示されている元画像を閲覧困難な状態にする画像加工を行うと共に、前記電子ペーパーの前記記憶部に認証情報を書き込み、更に、前記元画像の情報と前記認証情報とを対応付けて外部記憶手段に保存する受け渡し処理を実行し、
前記電子ペーパーを前記ソケットに取り付けた際に、前記電子ペーパーの前記記憶部に書き込まれた認証情報と前記外部記憶手段に保存された認証情報とを照合し、両者が一致したら、前記外部記憶手段から前記認証情報に対応付けて保存された前記元画像の情報を取得し、前記電子ペーパーに前記元画像を書き込んで表示させる受け入れ処理を実行する、
ことを特徴とする電子ペーパー利用装置。
【請求項９】
前記画像加工は、モザイク処理、画像縮小処理、地紋付加処理、画像消去のいずれかである、
ことを特徴とする請求項８に記載の電子ペーパー利用装置。
【請求項１０】
前記受け渡し処理では、前記電子ペーパーに表示されている元画像の種別を識別し、前記元画像に対して、当該種別に予め対応付けられた画像加工を行う、
ことを特徴とする請求項９に記載の電子ペーパー利用装置。
【請求項１１】
前記ソケットは、前記電子ペーパーを取り外せない状態にするロック機構を備え、
前記受け渡し処理を実行している間、前記ロック機構を動作させる、
ことを特徴とする請求項８乃至１０のいずれか一に記載の電子ペーパー利用装置。
【請求項１２】
前記ソケットに取り付けられた前記電子ペーパーの識別情報と当該電子ペーパーに書き込んだ画像の情報とを対応付けて記憶する記憶部を備え、
前記受け入れ処理では、前記電子ペーパーが前記ソケットに取り付けられたら、当該電子ペーパーの識別情報が前記記憶部に記憶されているかを判断し、前記識別情報が記憶されている場合は、当該識別情報に対応付けて記憶された画像を前記電子ペーパーに書き込んで表示させる、
ことを特徴とする請求項８乃至１１のいずれか一に記載の電子ペーパー利用装置。
【請求項１３】
記憶部を備える電子ペーパーと、前記電子ペーパーを着脱可能に保持するソケットを有し、前記ソケットに取り付けられた前記電子ペーパーに画像を書き込んで表示させる複数の保持装置と、を含むシステムにおける、前記複数の保持装置間の電子ペーパーの受け渡し方法であって、
前記電子ペーパーの受け渡し元の保持装置で、
受け渡す電子ペーパーと受け渡し先の保持装置とを指定する設定処理と、
前記受け渡す電子ペーパーを前記ソケットから取り外す際に、前記電子ペーパーに表示されている元画像を閲覧困難な状態にする画像加工を行うと共に、前記電子ペーパーの前記記憶部に認証情報を書き込み、更に、前記元画像の情報と前記認証情報とを対応付けて外部記憶手段に保存する受け渡し処理と、を実行し、
前記電子ペーパーの受け渡し先の保持装置で、
前記電子ペーパーを前記ソケットに取り付けた際に、前記電子ペーパーの前記記憶部に書き込まれた認証情報と前記外部記憶手段に保存された認証情報とを照合し、両者が一致したら、前記外部記憶手段から前記認証情報に対応付けて保存された前記元画像の情報を取得し、前記電子ペーパーに前記元画像を書き込んで表示させる受け入れ処理を実行する、
ことを特徴とする電子ペーパーの受け渡し方法。
【請求項１４】
前記受け渡し処理では、前記元画像の情報と前記認証情報とを、前記外部記憶手段の内の、前記受け渡し先の保持装置のみが参照可能な領域に保存する、
ことを特徴とする請求項１３に記載の電子ペーパーの受け渡し方法。
【請求項１５】
前記受け渡し元の保持装置では、前記設定処理で、前記受け渡し先の保持装置が指定されたら、当該受け渡し先の保持装置に前記電子ペーパーを取り付け可能なソケットの余りがあるかを確認し、ソケットの余りがある場合に、前記受け渡し処理を実行する、
ことを特徴とする請求項１３又は１４に記載の電子ペーパーの受け渡し方法。
【請求項１６】
前記画像加工は、モザイク処理、画像縮小処理、地紋付加処理、画像消去のいずれかである、
ことを特徴とする請求項１３乃至１５のいずれか一に記載の電子ペーパーの受け渡し方法。
【請求項１７】
前記受け渡し処理では、前記電子ペーパーに表示されている元画像の種別を識別し、前記元画像に対して、当該種別に予め対応付けられた画像加工を行う、
ことを特徴とする請求項１６に記載の電子ペーパーの受け渡し方法。
【請求項１８】
前記ソケットは、前記電子ペーパーを取り外せない状態にするロック機構を備え、
前記受け渡し元の保持装置では、前記設定処理が完了した後、前記受け渡し処理が完了するまで、前記ロック機構を動作させる、
ことを特徴とする請求項１３乃至１７のいずれか一に記載の電子ペーパーの受け渡し方法。
【請求項１９】
前記受け渡し元の保持装置は、前記ソケットに取り付けられた前記電子ペーパーの識別情報と当該電子ペーパーに書き込んだ画像の情報とを対応付けて記憶しておき、前記電子ペーパーが前記ソケットに取り付けられたら、当該電子ペーパーの識別情報が予め記憶されているかを判断し、前記識別情報が記憶されている場合は、当該識別情報に対応付けて記憶された画像を前記電子ペーパーに書き込んで表示させる、
ことを特徴とする請求項１３乃至１８のいずれか一に記載の電子ペーパーの受け渡し方法。
【発明の詳細な説明】
【技術分野】
【０００１】
本発明は、電子ペーパーを利用するシステム及び電子ペーパーを利用する装置並びに電子ペーパーの受け渡し方法に関する。
【背景技術】
【０００２】
近年、電子ペーパー等の表示デバイスが普及しており、例えば、会議等において、資料の画像を電子ペーパーに書き込んで表示させることにより、紙媒体の消費削減を図っている。また、電子ペーパーに画像を書き込む装置として、複数の電子ペーパーを紙媒体と同様に着脱可能に保持する装置も提案されている。
【０００３】
このような電子ペーパーに関して、例えば、下記特許文献１には、シート状の表示部を備えた電子ペーパーと、表示用データを該電子ペーパーに転送する表示発光制御手段とを備えた電子ペーパーファイルにおいて、上記電子ペーパーが、不揮発性表示媒体を使用した上記表示部と、上記表示部に、上記表示発光制御手段から送られた表示用データの書き込みと、消去を行う書き込み手段と、を備えた構成が開示されている。
【０００４】
また、下記特許文献２には、紙様のフレキシブルな表示媒体である電子ペーパーと、この電子ペーパーの表示部に信号授受手段よりの表示用データを記録する表示発光制御手段を備えた本体とからなる電子ペーパーファイルにおいて、上記電子ペーパーと本体とを着脱可能とした構成が開示されている。
【０００５】
上記電子ペーパーは、無電源で（電圧を印加したり、電流を流したりすることなく）画像を保持可能な構造を有しており、透明な液体中に分散している帯電粒子やマイクロカプセル中の帯電粒子に電圧を印加することによって帯電粒子を泳動させて画像を保持したり、液晶（例えば、螺旋構造を持つネマティック液晶であるコレステリック液晶）に電圧を印加したり光を照射したり熱を印加したりすることによって液晶の状態（例えば、螺旋軸の向き）を変化させて画像を保持したりしている。そのため、一度電子ペーパーに書き込まれた画像は表示保持されて誰でも閲覧が可能な状態となる。
【０００６】
ここで、秘匿すべき情報が表示された電子ペーパーをあるユーザから他のユーザに受け渡す場合、お互いが確認し合える近い距離にいる場合は、電子ペーパーを直接相手に手渡すことができるため、電子ペーパーに表示されている情報が第三者に漏洩するリスクは低い。しかしながら、お互いが確認し合えない離れた距離にいる時は、郵送等の手段を用いて電子ペーパーを受け渡すことが多くなるため、受け渡しの最中において、電子ペーパーに表示されている情報が第三者に閲覧される恐れがあり、情報漏洩のリスクが高くなる。
【０００７】
そこで、このような情報漏洩を防止するために、下記特許文献３では、文書管理サーバと情報処理装置とを備えたシステムにおいて、前記文書管理サーバは、文書のデータと当該文書のデータにアクセスするためのキーとを対応付けて管理し、前記情報処理装置は、処理部と当該処理部に分離可能に接続される表示部とを備え、前記表示部は、文書の画像を表示保持するとともに当該文書のデータにアクセスするためのキーを記憶保持し、前記処理部は、前記表示部が接続されて、接続された表示部からキーを読み取る接続手段と、読み取ったキーに基づいて、対応する文書のデータを前記文書管理サーバから取得する文書取得手段と、取得した文書のデータを処理する文書処理手段と、を備えた構成を開示している。
【先行技術文献】
【特許文献】
【０００８】
【特許文献１】特開２００１−３１２２５０号公報
【特許文献２】特開２００１−３１２２２７号公報
【特許文献３】特開２００７−１９９８３５号公報
【発明の概要】
【発明が解決しようとする課題】
【０００９】
上記特許文献３のように、情報処理装置から電子ペーパーを取り出して受け渡す際に、電子ペーパーに記録保持されたアクセスキーを元に、文書管理サーバから文書を取得できるようにすることにより、アクセスキーを保持していない電子ペーパーに秘匿すべき情報が表示されないようにすることはできる。
【００１０】
しかしながら、上記技術では、電子ペーパーを受け渡す際に、情報漏洩防止を目的とした画像加工は行っていないため、受け渡しの最中において、電子ペーパーに表示されている情報が第三者に閲覧される可能性がある。また、アクセスキーは電子ペーパーが保持しているため、指定以外の情報処理装置に電子ペーパーを取り付けた場合であっても、文書管理サーバから文書を取得することができ、秘匿すべき情報が第三者に閲覧される可能性がある。
【００１１】
本発明は、上記問題点に鑑みてなされたものであって、その主たる目的は、電子ペーパーの受け渡しに際して、電子ペーパーに表示されている情報の漏洩を確実に防止することができる電子ペーパー利用システム及び電子ペーパー利用装置並びに電子ペーパーの受け渡し方法を提供することにある。
【課題を解決するための手段】
【００１２】
上記目的を達成するため、本発明は、記憶部を備える電子ペーパーと、前記電子ペーパーを着脱可能に保持するソケットを有し、前記ソケットに取り付けられた前記電子ペーパーに画像を書き込んで表示させる複数の保持装置と、を含み、前記複数の保持装置間で前記電子ペーパーの受け渡しを行う電子ペーパー利用システムにおいて、前記電子ペーパーの受け渡し元の保持装置は、受け渡す電子ペーパーと受け渡し先の保持装置とを指定可能な操作部と、前記受け渡す電子ペーパーを前記ソケットから取り外す際に、前記電子ペーパーに表示されている元画像を閲覧困難な状態にする画像加工を行うと共に、前記電子ペーパーの前記記憶部に認証情報を書き込み、更に、前記元画像の情報と前記認証情報とを対応付けて外部記憶手段に保存する受け渡し処理を実行する制御部と、を備え、前記電子ペーパーの受け渡し先の保持装置は、前記電子ペーパーを前記ソケットに取り付けた際に、前記電子ペーパーの前記記憶部に書き込まれた認証情報と前記外部記憶手段に保存された認証情報とを照合し、両者が一致したら、前記外部記憶手段から前記認証情報に対応付けて保存された前記元画像の情報を取得し、前記電子ペーパーに前記元画像を書き込んで表示させる受け入れ処理を実行する制御部を備えるものである。
【００１３】
また、本発明は、記憶部を備える電子ペーパーと、前記電子ペーパーを着脱可能に保持するソケットを有する保持部と、を含む電子ペーパー利用装置であって、前記電子ペーパーを前記ソケットから取り外す際に、前記電子ペーパーに表示されている元画像を閲覧困難な状態にする画像加工を行うと共に、前記電子ペーパーの前記記憶部に認証情報を書き込み、更に、前記元画像の情報と前記認証情報とを対応付けて外部記憶手段に保存する受け渡し処理を実行し、前記電子ペーパーを前記ソケットに取り付けた際に、前記電子ペーパーの前記記憶部に書き込まれた認証情報と前記外部記憶手段に保存された認証情報とを照合し、両者が一致したら、前記外部記憶手段から前記認証情報に対応付けて保存された前記元画像の情報を取得し、前記電子ペーパーに前記元画像を書き込んで表示させる受け入れ処理を実行するものである。
【００１４】
また、本発明は、記憶部を備える電子ペーパーと、前記電子ペーパーを着脱可能に保持するソケットを有し、前記ソケットに取り付けられた前記電子ペーパーに画像を書き込んで表示させる複数の保持装置と、を含むシステムにおける、前記複数の保持装置間の電子ペーパーの受け渡し方法であって、前記電子ペーパーの受け渡し元の保持装置で、受け渡す電子ペーパーと受け渡し先の保持装置とを指定する設定処理と、前記受け渡す電子ペーパーを前記ソケットから取り外す際に、前記電子ペーパーに表示されている元画像を閲覧困難な状態にする画像加工を行うと共に、前記電子ペーパーの前記記憶部に認証情報を書き込み、更に、前記元画像の情報と前記認証情報とを対応付けて外部記憶手段に保存する受け渡し処理と、を実行し、前記電子ペーパーの受け渡し先の保持装置で、前記電子ペーパーを前記ソケットに取り付けた際に、前記電子ペーパーの前記記憶部に書き込まれた認証情報と前記外部記憶手段に保存された認証情報とを照合し、両者が一致したら、前記外部記憶手段から前記認証情報に対応付けて保存された前記元画像の情報を取得し、前記電子ペーパーに前記元画像を書き込んで表示させる受け入れ処理を実行するものである。
【発明の効果】
【００１５】
本発明の電子ペーパー利用システム及び電子ペーパー利用装置並びに電子ペーパーの受け渡し方法によれば、電子ペーパーの受け渡しに際して、電子ペーパーに表示されている情報の漏洩を確実に防止することができる。
【００１６】
その理由は、電子ペーパーの受け渡し元の装置は、画像が表示されている電子ペーパーを取り外す際に、当該電子ペーパーに表示されている画像（元画像）を閲覧困難な状態にする画像加工を行うと共に、当該電子ペーパーに認証情報を書き込み、かつ、元画像の情報及び認証情報を、外部記憶手段の受け渡し先の装置のみが参照可能な領域に保存する制御を行うからである。また、受け渡し先の装置は、電子ペーパーを取り付ける際に、電子ペーパー及び記憶手段から認証情報を取得し、それらが一致した場合に、記憶手段から元画像の情報を取得して電子ペーパーに表示させる制御を行うからである。
【００１７】
このように、受け渡し元の装置から電子ペーパーを取り外して、受け渡し先の装置に取り付けるまでの間、元画像は閲覧困難な状態に加工されているため、第三者への情報漏洩を確実に防止することができる。また、受け渡し先の装置に取り付ける際に、記憶手段に保存された認証情報と電子ペーパーに書き込まれた認証情報とが一致した場合のみ、元画像が電子ペーパーに表示されるため、第三者への情報漏洩を確実に防止することができる。
【図面の簡単な説明】
【００１８】
【図１】本発明の一実施例に係る電子ペーパー利用システムの構成を模式的に示す図である。
【図２】本発明の一実施例に係る電子ペーパーの構成を示すブロック図である。
【図３】本発明の一実施例に係る電子ペーパーの構造を示す断面図である。
【図４】本発明の一実施例に係るバインダーの構成を示すブロック図である。
【図５】本発明の一実施例に係る受け渡し元のバインダーの動作を示すフローチャート図である。
【図６】本発明の一実施例に係る受け渡し先のバインダーの動作を示すフローチャート図である。
【図７】本発明の一実施例に係る電子ペーパー利用システムにおける電子ペーパーの受け渡し前の状態を示す模式図である。
【図８】本発明の一実施例に係る電子ペーパー利用システムにおける電子ペーパーの受け渡し途中の状態を示す模式図である。
【図９】本発明の一実施例に係る電子ペーパー利用システムにおける電子ペーパーの受け渡し後の状態を示す模式図である。
【図１０】本発明の一実施例に係る電子ペーパーの受け渡し設定画面の一例を示す図である。
【発明を実施するための形態】
【００１９】
背景技術で示したように、電子ペーパーは無電源状態で画像の保持が可能であるため、一度電子ペーパーに書き込まれた画像は表示保持されて誰でも閲覧が可能となる。そのため、お互いが確認し合えない離れた距離にいる状態で電子ペーパーを受け渡す際は、受け渡しの最中において、電子ペーパーに表示されている情報が第三者に閲覧される恐れがあり、情報漏洩のリスクが高くなる。
【００２０】
この問題に対して、電子ペーパーに記録保持されたアクセスキーを元に、サーバから情報を取得可能にする方法が提案されているが、この方法では、電子ペーパーに表示されている画像に対して情報漏洩防止を目的とした画像加工が行われていないため、受け渡しの最中において情報が漏洩する恐れがある。また、アクセスキーは電子ペーパーが保持しているため、指定された装置以外の装置に電子ペーパーを取り付けた場合であっても情報が取得できてしまい、やはり情報が漏洩する恐れがある。
【００２１】
そこで、本発明の一実施の形態では、無電源で画像を保持する機能を有する電子ペーパーと、電子ペーパーを着脱可能に保持し電子ペーパーに画像を書き込む複数の保持装置（以下、バインダーと呼ぶ。）と、を含むシステムにおいて、バインダー間で電子ペーパーを受け渡す際に、電子ペーパーに表示されている元画像に画像加工を行って閲覧困難な状態にする。
【００２２】
また、受け渡し元のバインダーから電子ペーパーを取り外す際に、電子ペーパーに認証情報を書き込むと共に、元画像の情報及び認証情報を外部記憶手段の受け渡し先のバインダーのみが参照可能な領域に保存し、受け渡し先のバインダーでは、電子ペーパーに書き込まれた認証情報と記憶手段に保存した認証情報とを照合して両者が一致した場合に記憶手段から元画像を取得して表示させる。
【００２３】
また、受け渡し先のバインダーを設定する際に、当該バインダーに電子ペーパーを取り付け可能なソケットがあるかを確認し、ソケットに余りがある場合にのみ、受け渡し設定ができるようにする。
【００２４】
このように、電子ペーパーを取り外す際に、元画像に画像加工を施すことにより、受け渡し中に電子ペーパーに表示された情報が第三者に漏洩することがなくなる。また、設定したバインダーでしか電子ペーパーに元画像を表示させることができないため、第三者への情報漏洩のリスクを低減することができる。また、受け渡し先のバインダーのソケットに余りがある場合にのみ、受け渡し設定を可能にすることにより、受け渡し先のバインダーを明確にして情報漏洩のリスクを低減することができる。
【実施例】
【００２５】
上記した本発明の実施の形態についてさらに詳細に説明すべく、本発明の一実施例に係る電子ペーパー利用システム及び電子ペーパー利用装置並びに電子ペーパーの受け渡し方法について、図１乃至図１０を参照して説明する。図１は、本実施例の電子ペーパー利用システムの構成を模式的に示す図である。また、図２は、本実施例の電子ペーパーの構成を示すブロック図、図３は、電子ペーパーの構造を示す断面図であり、図４は、本実施例のバインダーの構成を示すブロック図である。また、図５及び図６は、本実施例のバインダーの動作を示すフローチャート図であり、図７乃至図９は、電子ペーパーを受け渡す際の状態を示す模式図である。また、図１０は、電子ペーパーの受け渡し設定画面の一例を示す図である。
【００２６】
図１に示すように、本実施例の電子ペーパー利用システムは、無電源で画像を保持する機能（いわゆるメモリ性）を有する表示デバイスである電子ペーパー１０と、１又は複数の電子ペーパー１０を着脱可能に保持し、電子ペーパー１０に画像を書き込む複数のバインダー２０（受け渡し元のバインダー及び受け渡し先のバインダー）と、バインダー２０が利用する情報を保存する外部記憶手段である管理サーバ３０と、で構成される。バインダー２０と管理サーバ３０とは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク４０によって接続されている。
【００２７】
なお、本実施例では、電子ペーパー１０に書き込む画像の情報や電子ペーパー１０とバインダー２０の組み合わせを照合するための認証情報を管理サーバ３０で管理する構成とするが、これらの情報はバインダー２０で管理（受け渡し元のバインダー２０から受け渡し先のバインダー２０に直接送信）してもよく、その場合は管理サーバ３０を省略することができる。以下、電子ペーパー１０及びバインダー２０について詳細に説明する。
【００２８】
［電子ペーパー］
図２に示すように、電子ペーパー１０は、ＲＡＭ（Random Access Memory）１１、認証情報保持部１２、タッチパネル１３、画面表示部１４、入力Ｉ／Ｆ部１５などで構成され、これらはシステムバス１６によって接続されている。
【００２９】
ＲＡＭ１１は、バインダー２０から取得した画像の情報を記憶する。認証情報保持部１２は、電子ペーパー１０を特定するための認証情報を記憶する。タッチパネル１３は、画面表示部１４上に配置された格子状の透明電極で構成され、スタイラスペンや指でタッチした位置に対応する信号を出力する。画面表示部１４は、後述する構造を有し、ＲＡＭ１１に保持された画像の情報を表示する。入力Ｉ／Ｆ部１５は、バインダー２０のソケット２６に設けられた端子と接続するためのインターフェースであり、バインダー２０から画像の情報を受け取ったり、バインダー２０に認証情報を受け渡したりする。
【００３０】
上記電子ペーパー１０は、メモリ性を有する構造であればよく、例えば、透明な液体中に分散している帯電粒子やマイクロカプセル中の帯電粒子に電圧を印加することによって帯電粒子を泳動させて画像を保持するタイプや、液晶（例えば、螺旋構造を持つネマティック液晶であるコレステリック液晶）に電圧を印加したり光を照射したり熱を印加したりすることによって液晶の状態（例えば、螺旋軸の向き）を変化させて画像を保持するタイプなどを用いることができる。
【００３１】
図３は、前者のタイプの電子ペーパー１０の構造例を示す断面図であり、２枚のガラス板の間に、リブと呼ばれる壁で仕切られた小部屋（１画素に相当）を作り、その中に帯電時に粒子同士が反発する、プラスに帯電した電子粉粒体とマイナスに帯電した電子粉粒体とを閉じ込める。そして、２枚のガラス板の内側に設置した透明電極に電流を流すことで、プラスに帯電した電子粉粒体（例えば、黒色の粉粒体）を上へ、マイナスに帯電した電子粉粒体（例えば、白色の粉粒体）を下へ移動させ、ガラス板に付着させて絵や文字を表示させる。ガラス板に付着した電子粉粒体は、電源をオフにしても泳動しないため、絵や文字といった画像を保持することが可能となる。
【００３２】
なお、図２では、電子ペーパー１０にタッチパネル１３を設けて情報の入力が可能な構成としたが、情報の表示のみを行う場合は、タッチパネル１３等の操作部を省略することができる。
【００３３】
［バインダー］
図４に示すように、バインダー２０は、制御部２１、表示情報記憶部２２、記録保持部２３、操作部２４、表示部２５、ソケット２６、通信Ｉ／Ｆ部２７などで構成され、これらはシステムバス２８によって接続されている。本実施例のバインダー２０は、電子ペーパー１０を受け渡すバインダー２０（受け渡し元のバインダー２０）と、電子ペーパー１０を受け取るバインダー２０（受け渡し先のバインダー２０）とを含んでいる。
【００３４】
制御部２１は、ＣＰＵ（Central Processing Unit）２１ａと、ＲＯＭ（Read Only Memory）２１ｂやＲＡＭ２１ｃなどのメモリと、で構成される。ＣＰＵ２１ａは、各種プログラムをＲＯＭ２１ｂから読み出してＲＡＭ２１ｃに展開し実行する。そして、制御部２１は、操作部２４によって指定された画像の情報を表示情報記憶部２２から読み出し、ソケット２６を介して電子ペーパー１０のＲＡＭ１１に書き込むことで画面表示部１４に表示させる。
【００３５】
また、受け渡し元のバインダー２０の制御部２１は、電子ペーパー１０の画面表示部１４に表示されている画像の種別をヘッダ情報などから識別し、その種別の画像に対する画像加工方法を特定し、電子ペーパー１０の受け渡しの際に、特定した画像加工方法（若しくは、ユーザが指定した画像加工方法）に従って画像処理を行って閲覧困難な状態（例えば、画像が表示されない、若しくは、画像は表示されるが内容が認識できない状態）にする。例えば、画像の種別が「極秘」の場合は、画像加工方法は「画像消去」、画像の種別が「秘密」の場合は、画像加工方法は「スクランブル」、画像の種別が「社外秘」の場合は、画像加工方法は「縮小」等である。また、電子ペーパー１０の受け渡しの際に、電子ペーパー１０を特定するための認証情報を生成し、ソケット２６を介して電子ペーパー１０の認証情報保持部１２に書き込むと共に、その認証情報と電子ペーパー１０の画面表示部１４に表示している画像（元画像と呼ぶ。）の情報とを管理サーバ３０の特定の領域（受け渡し先のバインダー２０のみが参照可能な領域）に保存する。
【００３６】
また、受け渡し先のバインダー２０の制御部２１は、取り付けられた電子ペーパー１０の認証情報保持部１２から認証情報を取得すると共に、管理サーバ３０から認証情報を取得し、それらが一致する場合は、その認証情報に関連付けて保存された元画像の情報を管理サーバ３０から取得し、ソケット２６を介して電子ペーパー１０のＲＡＭ１１に書き込むことで画面表示部１４に表示させる。
【００３７】
表示情報記憶部２２は、電子ペーパー１０に書き込む画像の情報や画像加工を行った画像の情報などを記憶する。記録保持部２３は、電子ペーパー１０の識別情報（シリアル番号など）とその電子ペーパー１０に表示する画像の情報とを対応付けて記憶し、受け渡す電子ペーパー１０を再度取り付けたときに、その電子ペーパー１０に再度、画像を表示できるようにする。操作部２４は、ボタンやスイッチなどであり、電子ペーパー１０の受け渡しの設定操作などを可能にする。表示部２５は、電子ペーパー１０の受け渡しの設定を行うための設定画面などを表示する。ソケット２６は、１又は複数の電子ペーパー１０を着脱可能に保持すると共に、バインダー２０と電子ペーパー１０とを電気的に接続し、電子ペーパー１０に画像の情報を書き込んだり、電子ペーパー１０から認証情報を取得したりする。また、ソケット２６にはロック機能が設けられており、受け渡しの設定処理が完了した後、元画像の画像加工や認証情報の書き込み、元画像の情報及び認証情報の登録などの受け渡し処理が完了するまで、制御部２１はロック機能を用いて電子ペーパー１０の取り外しができないようにする。通信Ｉ／Ｆ部２７は、ＮＩＣ（Network Interface Card）やモデムなどで構成され、管理サーバ３０との通信を確立し、元画像の情報や認証情報などの送受信を可能にする。
【００３８】
以下、上記構成の電子ペーパー１０及びバインダー２０を含む電子ペーパー利用システムの動作について図面を参照して説明する。まず、受け渡し元のバインダー２０（バインダーＡとする。）から電子ペーパー１０を取り外す際の動作について、図５のフローチャート図を参照して説明する。
【００３９】
ユーザが、バインダーＡの操作部２４を操作して、ソケット２６に取り付けられている電子ペーパー１０に対して、ドキュメント画像の表示指示を行うと、制御部２１は、表示情報記憶部２２からドキュメント画像を取り出し、ソケット２６を介して電子ペーパー１０のＲＡＭ１１に書き込み、画面表示部１４に表示させる（Ｓ１０１）。
【００４０】
次に、ユーザが、操作部２６を操作して、受け渡す電子ペーパー１０と受け渡し先のバインダー２０（バインダーＢとする。）を指定する（Ｓ１０２）。例えば、制御部２１は、表示部２５に図１０に示すような設定画面（詳細は後述する。）を表示し、受け渡す電子ペーパー１０と受け渡し先のバインダー２０の指定操作を受け付ける設定処理を実行する。ここでは、図７に示すように、バインダーＡに電子ペーパーＡ１〜Ａ４が取り付けられており、バインダーＢに電子ペーパーＢ１、Ｂ２が取り付けられている状態において、バインダーＡからバインダーＢに電子ペーパーＡ１を受け渡すものとする。
【００４１】
受け渡し先のバインダー２０の指定後、バインダーＡの制御部２１は、受け渡し先のバインダーＢのソケット２６に余りがあるかどうかを確認する（Ｓ１０３）。例えば、管理サーバ３０は、各バインダー２０からソケット２６の利用情報を取得して管理し、バインダー２０の制御部２１は、この利用情報を参照して所定のバインダー２０のソケット２６に余りがあるかどうかを確認する。
【００４２】
バインダーＢのソケット２６に余りがない場合は、Ｓ１０２に戻って、ユーザは再度、受け渡し先のバインダー２０を指定する。一方、バインダーＢのソケット２６に余りがある場合は、制御部２１は、必要に応じて、ソケット２６のロック機構を動作させる。そして、制御部２１は、受け渡す電子ペーパーＡ１に表示しているドキュメント画像の種別を特定（ヘッダ情報に予め記述された種別情報を取得）し、その種別に対して予め指定された画像加工方法でドキュメント画像に画像加工を行って閲覧困難な状態にし、加工後の画像の情報をソケット２６を介して電子ペーパーＡ１のＲＡＭ１１に書き込み、画面表示部１４に表示させる（Ｓ１０４）。そして、制御部２１は、受け渡す電子ペーパーＡ１に対する認証情報を設定し、電子ペーパーＡ１の認証情報保持部１２にその認証情報を書き込む（Ｓ１０５）。
【００４３】
同時に、制御部２１は、管理サーバ３０内の、受け渡し先のバインダーＢのみが参照可能な領域に、受け渡す電子ペーパーＡ１に表示されていた元画像の情報と電子ペーパーＡ１に書き込んだ認証情報とを登録する（Ｓ１０６）。なお、受け渡し先のバインダーＢのみが参照可能な領域とは、バインダーＢ以外のバインダー２０は情報の読み出しができない領域である。
【００４４】
上記受け渡し処理が完了したら、制御部２１は、ソケット２６のロック機構を解除し、ユーザはバインダーＡのソケット２６から受け渡す電子ペーパーＡ１を取り外す（Ｓ１０７）。そして、その電子ペーパーＡ１を郵送等の手段を用いてバインダーＢのユーザに受け渡す。図８は、受け渡し途中の電子ペーパーＡ１の状態を示しており、Ｓ１０４の画像加工により、元画像が「画像消去」、「スクランブル」、「縮小」等によって閲覧困難な状態（図ではハッチングの種類を変えて閲覧困難な状態を表現している。）になっているため、電子ペーパーＡ１に表示された情報の漏洩を確実に防止することができる。
【００４５】
次に、バインダーＢに電子ペーパーＡ１を取り付ける際の動作について、図６フローチャート図を参照して説明する。
【００４６】
まず、バインダーＢのユーザは、電子ペーパーＡ１を受け取り、バインダーＢのソケット２６に取り付ける（Ｓ２０１）。その際、バインダーＡでは、バインダーＢのソケット２６に余りがあることを確認してから電子ペーパーＡ１の受け渡し処理を行っているため、電子ペーパーＡ１がバインダーＢに取り付けられない状態になることはない。
【００４７】
次に、バインダーＢの制御部２１は、ソケット２６に取り付けられた電子ペーパーＡ１の認証情報保持部１２から認証情報を取得し（Ｓ２０２）、続いて、管理サーバ３０内のバインダーＢのみが参照可能な領域から認証情報を取得する（Ｓ２０３）。そして、制御部２１は、電子ペーパー１０から取得した認証情報と管理サーバ３０から取得した認証情報とを照合する（Ｓ２０４）。
【００４８】
照合した結果、双方の認証情報が一致しない、若しくは電子ペーパー１０に認証情報が書き込まれていない、若しくは管理サーバ３０に認証情報が登録されていない場合は、処理を終了する。一方、双方の認証情報が一致した場合は、管理サーバ３０から、その認証情報に関連付けて登録されている元画像の情報を取得し、元画像をソケット２６を介して電子ペーパー１０のＲＡＭ１１に書き込み、画面表示部１４に表示させる（Ｓ２０５）。図９は、受け渡し後の電子ペーパーＡ１の状態を示しており、バインダーＢのソケット２６に電子ペーパーＡ１を取り付けた場合のみ元画像が表示されるため、情報の漏洩を確実に防止することができる。
【００４９】
なお、上記フローでは、バインダーＡから取り外した電子ペーパーＡ１をバインダーＢに取り付ける場合を示したが、電子ペーパーＡ１を再びバインダーＡに取り付ける場合も考えられる。その場合は、バインダーＡの制御部２１は、電子ペーパーＡ１の識別情報を取得し、その識別情報が記録保持部２３に記憶されているかを判断し、識別情報が記憶されている場合は、その識別情報に対応付けて記憶された画像の情報を記録保持部２３から取り出し、電子ペーパーＡ１のＲＡＭ１１に書き込んで画面表示部１４に表示させることもできる。
【００５０】
次に、電子ペーパー１０の受け渡しの際の設定画面について説明する。図１０は、バインダー２０の表示部２５に表示される電子ペーパーの受け渡し設定画面５０の一例である。この受け渡し設定画面５０には、（１）電子ペーパー１０に書き込む画像を設定する欄と、（２）受け渡す電子ペーパー１０を指定する欄と、（３）受け渡し先のバインダー２０を指定する欄と、（４）受け渡し先のバインダー２０のソケット２６の余り状態を表示する欄と、（５）元画像に対する画像加工の方法を指定する欄と、（６）加工画像のイメージサンプルを表示する欄などが設けられている。
【００５１】
（１）電子ペーパー１０に書き込む画像を設定する欄では、電子ペーパー１０に通常表示させる画像を設定する。
【００５２】
（２）受け渡す電子ペーパー１０を指定する欄では、バインダー２０のソケット２６に装着されている電子ペーパー１０のリストが表示され、その中から受け渡す電子ペーパー１０を選択して指定する。
【００５３】
（３）受け渡し先のバインダー２０を指定する欄では、予め登録されたバインダー２０のリストが表示され、その中から電子ペーパー１０を受け渡すバインダー２０を選択して指定する。
【００５４】
（４）受け渡し先のバインダー２０のソケット２６の余り状態を表示する欄では、受け渡し先のバインダー２０の指定完了後、管理サーバ３０を介して、指定されたバインダー２０のソケット２６の利用情報を受け取り、ソケット２６に受け渡す電子ペーパー１０を取り付ける余りがあるかどうかのチェックを行い、その結果を表示する。受け渡し先のバインダー２０のソケット２６に余りがある場合は受け渡し設定完了とし、ソケット２６に余りがない場合は、再度、受け渡し設定を行うように要求する。
【００５５】
（５）元画像に対する画像加工の方法を指定する欄では、電子ペーパー１０をバインダー２０から取り外して受け渡す最中の電子ペーパー１０に表示する画像の加工方法のリストが表示され、その中から所望の画像加工方法を選択して指定する。画像加工方法としては、画像消去、モザイク処理、画像縮小処理、地紋付加処理など、元画像を閲覧困難な状態に加工可能な任意の加工方法を指定することができる。なお、上述したように、画像データのヘッダ情報にドキュメント画像の種別を付加しておき、バインダー２０の制御部２１が、この種別に基づいて画像加工方法を自動的に設定するようにしてもよい。
【００５６】
（６）加工画像のイメージサンプル表示欄では、上記（５）で指定した加工方法で加工した画像のサンプルを表示する。
【００５７】
以上説明したように、受け渡し元のバインダー２０（バインダーＡ）に取り付けられている電子ペーパー１０（電子ペーパーＡ１）を受け渡し先のバインダー２０（バインダーＢ）で利用する際、バインダーＡの制御部２１は、電子ペーパーＡ１に表示されている元画像に対して指定された画像加工を行い、電子ペーパーＡ１の認証情報保持部１２に認証情報を書き込み、元画像の情報と認証情報を管理サーバ３０内のバインダーＢのみが参照可能な領域に保存する制御を行うため、電子ペーパーＡ１の受け渡し中に元画像が第三者に閲覧されることを未然に防止することができる。
【００５８】
また、バインダーＢの制御部２１は、受け取った電子ペーパーＡ１に書き込まれた認証情報と管理サーバ３０に保存された認証情報とが一致する場合に、管理サーバ３０から元画像を取得して電子ペーパーＡ１に表示させる制御を行うため、指定されていないバインダー２０で元画像が表示されることがなく、元画像が第三者に閲覧されることを未然に防止することができる。
【００５９】
なお、本発明は上記実施例に限定されるものではなく、本発明の趣旨を逸脱しない限りにおいて、その構成や制御は適宜変更可能である。
【００６０】
例えば、上記実施例では、電子ペーパー１０に書き込む認証情報と電子ペーパー１０に表示されている元画像の情報とを、管理サーバ３０内の、受け渡し先のバインダー２０のみが参照可能な領域に保存する構成としたが、これらの情報を、受け渡し元のバインダー２０から受け渡し先のバインダー２０に直接送信してもよい。
【００６１】
また、上記実施例では、受け渡し先のバインダー２０は管理サーバ３０から元画像の情報を取得して電子ペーパー１０に書き込むことによって元画像を閲覧可能にしたが、受け渡し先のバインダー２０が元画像に対してスクランブル等の画像加工を行った場合は、加工後の画像の情報を管理サーバ３０に保存すると共に、加工後の画像から元画像を復元するための復元情報を受け渡し先のバインダー２０に送信し、受け渡し先のバインダー２０は管理サーバ３０から取得した加工後の画像を復元情報によって復元して電子ペーパー１０に表示させることもできる。この構成の場合、管理サーバ３０には加工後の画像しか保存されておらず、別のバインダー２０が管理サーバ３０にアクセスしたとしても、元画像を復元することができないため、第三者に対する情報漏洩を確実に防止することができる。
【００６２】
また、上記実施例では、メモリ性を有する表示デバイスとして可撓性を有する電子ペーパー１０を例示し、表示デバイスを保持する装置として電子ペーパー１０を綴じ合わせるバインダーを例示したが、表示デバイスとして厚みがある構造体を使用し、表示デバイスを保持する装置として表示デバイスを差し込むスロットを設けた構造体を使用してもよい。
【産業上の利用可能性】
【００６３】
本発明は、メモリ性を有する表示デバイスとその表示デバイスを保持する装置とを含むシステムに利用可能である。
【符号の説明】
【００６４】
１０  電子ペーパー
１１  ＲＡＭ
１２  認証情報保持部
１３  タッチパネル
１４  画面表示部
１５  入力Ｉ／Ｆ部
１６  システムバス
２０  バインダー
２１  制御部
２１ａ  ＣＰＵ
２１ｂ  ＲＯＭ
２１ｃ  ＲＡＭ
２２  表示情報記録部
２３  記録保持部
２４  操作部
２５  表示部
２６  ソケット
２７  通信Ｉ／Ｆ部
２８  システムバス
３０  管理サーバ
４０  通信ネットワーク
５０  受け渡し設定画面
【図１】
2014021875.tif 000003
【図２】
2014021875.tif 000004
【図３】
2014021875.tif 000005
【図４】
2014021875.tif 000006
【図５】
2014021875.tif 000007
【図６】
2014021875.tif 000008
【図７】
2014021875.tif 000009
【図８】
2014021875.tif 000010
【図９】
2014021875.tif 000011
【図１０】
2014021875.tif 000012